(57)【要約】【課題】シートの束落ちを防止することができるディスペンサーのアタッチメント及びディスペンサーを提供する。【解決手段】前板部１１１及び背板部１１２並びに底板部１１３を有し、取出口１１０が底板部１１３の前後方向中央部において幅方向に延在しているディスペンサー１０１に取り付けられるアタッチメント２０であって、可撓性シート製の前板側及び背板側本体部３０ｆ，３０ｂと、これら３０ｆ，３０ｂを底板部１１３に沿って取り付ける接着部とを有し、背板側端縁３５ｆから突出する前中央部突出片３１ｆ及び前側部突出片３２ｆ，３３ｆを有し、前板側端縁３５ｂから突出する背中央部突出片３１ｂ及び背側部突出片３２ｂ，３３ｂを有し、取付状態において中央部突出片３１ｆ，３１ｂの先端部が下方視で重なる関係にあり、前側部突出片３２ｆ，３３ｆ及び背側部突出片３２ｂ，３３ｂが幅方向に異なって位置することで下方視で重ならない関係にある。ディスペンサー１０１は、これ２０が取り付けられている。【選択図】図１
2018051073.tif 000002
【特許請求の範囲】
【請求項１】
前板部及び背板部並びにシートの取出口が形成されている底板部を有し、前記取出口が前記底板部の前後方向中央部において幅方向に延在しているディスペンサーに取り付けられるアタッチメントであって、
可撓性のシートで形成された前板側本体部及び背板側本体部と、前記前板側本体部及び前記背板側本体部を前記底板部に沿って取り付ける接着部とを有し、
前記前板側本体部は、背板側端縁から突出する中央部突出片及び側部突出片を有し、
前記背板側本体部は、前板側端縁から突出する中央部突出片及び側部突出片を有し、
前記前板側本体部及び前記背板側本体部が前記底板部に取り付けられた状態において、前記前板側本体部の中央部突出片の先端部及び前記背板側本体部の中央部突出片の先端部が下方から見て重なる関係にあり、かつ前記前板側本体部の側部突出片及び前記背板側本体部の側部突出片が幅方向に関して異なる位置に存在することで下方から見て重ならない関係にある、
ことを特徴とするディスペンサーのアタッチメント。
【請求項２】
前記背板側本体部の中央部突出片の先端部が前記前板側本体部の中央部突出片の先端部の下側に位置し、
かつ、「前記背板側本体部の中央部突出片の前後方向の長さ」＞「前記前板側本体部の中央部突出片の前後方向の長さ」とされている、
請求項１に記載のディスペンサーのアタッチメント。
【請求項３】
前記前板側本体部の中央部突出片及び前記背板側本体部の中央部突出片は、先端側が狭まっている、
請求項１又は請求項２に記載のディスペンサーのアタッチメント。
【請求項４】
前記前板側本体部においては、前記側部突出片が前記中央部突出片の幅方向一方及び幅方向他方にそれぞれ少なくとも１つ備えられ、
前記背板側本体部においては、前記側部突出片が前記中央部突出片の幅方向一方及び幅方向他方にそれぞれ少なくとも１つ備えられている、
請求項１〜３のいずれか１項に記載のディスペンサーのアタッチメント。
【請求項５】
前記前板側本体部においては、前記中央部突出片の前後方向の長さが前記側部突出片の前後方向の長さよりも短く、
前記背板側本体部においては、前記中央部突出片の前後方向の長さが前記側部突出片の前後方向の長さよりも長い、
請求項１〜４のいずれか１項に記載のディスペンサーのアタッチメント。
【請求項６】
前記可撓性のシートは、厚さ１〜１０ｍｍの発泡体層と、この発泡体層に積層された厚さ５０〜５００μｍのフィルム層とで構成されている、
請求項１〜５のいずれか１項に記載のディスペンサーのアタッチメント。
【請求項７】
請求項１〜６のいずれか１項に記載のアタッチメントが取り付けられたディスペンサーであって、
前記取出口は、幅方向側部の並間隔部と、この並間隔部よりも前後方向に広い幅方向中央部の拡間隔部とを有し、
前記側部突出片の幅が、前記アタッチメントが位置する前記並間隔部の幅方向の長さの２分の１以下とされている、
ことを特徴とするディスペンサー。
【請求項８】
前記中央部突出片の幅が、前記拡間隔部の幅方向の長さ以下とされている、
請求項７に記載のディスペンサー。
【発明の詳細な説明】
【技術分野】
【０００１】
本発明は、ディスペンサーのアタッチメント及びディスペンサーに関するものである。特に、ディスペンサーがペーパータオルやキッチンペーパー、ティシュペーパー等のシートのディスペンサーである場合に関するものである。
【背景技術】
【０００２】
複数枚のペーパータオルを折り畳み積層してなるペーパータオルの束を、交換可能に内部に収め、取出口から一枚ずつ引き出すようにするペーパータオルディスペンサーは良く知られるところである。この種のペーパータオルディスペンサーの構造は、図４〜６に示す構造が代表される。
すなわち、係るペーパータオルディスペンサー１０１は、概ね、ディスペンサーの蓋部を兼ねる前板部１１１と、ペーパータオルの束１０２が実質的に載置され前後方向中央部において幅方向に延在する細長の取出口１１０が形成されている底板部１１３と、前記前板部１１１と対面して位置される背板部１１２の三つの要素を有する。背板部１１２と底板部１１３とは一体に形成されるものもある。
【０００３】
また、この種のペーパータオルディスペンサー１０１は、ペーパータオルが手洗い後に手拭き用に用いられることが多く、手洗い後の水が落下して取出口１１０から侵入し内部の束１０２を汚染しないようにするために、また、洗面所や化粧室等の比較的狭小な空間に設置することが求められることなどから、取出口１１０を底面に形成し、その取出口１１０を下方に向けて背板部１１２を介して壁面設置されることが多い。
【０００４】
一方、ペーパータオルに対する要望としては、吸収性を良くして欲しいとの要望や、肌触りを良くして欲しいとの要望などがある。また、コストダウンを図るという観点などから、ペーパータオルの低坪量化が進んでいる。したがって、近年では、様々な物性のペーパータオルが存在するようになっており、中でも柔らかくて腰の弱いペーパータオルの割合が増えている。
【０００５】
しかるに、腰の弱いペーパータオルを従来からのディスペンサー１０１にそのままセットすると、次の問題が生じる。すなわち、ペーパータオルの残量が少なくなってくると、当該ペーパータオルの腰の弱い故に、最後にはペーパータオルが取出口１１０から束になって落ちてしまう（ペーパータオルの束落ち）。
【０００６】
そこで、ペーパータオルの束（薄紙積み重ね体）の最下位のペーパータオル（薄紙）が引き出されるときに波形状となるようにするディスペンサーの紙支えに乗せ置く紙支え補助装置が提案されている（特許文献１）。この装置によると、ペーパータオル（薄紙）が適正に引き出せるようになるとしている。
【０００７】
しかしながら、ペーパータオルを波形状にする場合は、ペーパータオルの物性が当該ペーパータオルを適正に引き出せるか否かに大きな影響を与えると考えられる。ペーパータオルを適正に引き出せるようにするためには、当該ペーパータオルの物性に応じで合成樹脂製シート等からなる紙支え補助装置の形状を細かく調整しなければならないと思われる（汎用性の欠如）。また、仮に紙支え補助装置の形状を細かく調整する必要がないとしても、ペーパータオルの束落ちを防止する他の手段の提案が期待される（手段の豊富化）。
【先行技術文献】
【特許文献】
【０００８】
【特許文献１】特開２００５−１７２０号公報
【発明の概要】
【発明が解決しようとする課題】
【０００９】
本発明が解決しようとする主たる課題は、シートの束落ちを防止することができ、好ましくは汎用性のあるディスペンサーのアタッチメント及びディスペンサーを提供することにある。
【課題を解決するための手段】
【００１０】
上記課題を解決するために、前板部及び背板部並びにシートの取出口が形成されている底板部を有し、前記取出口が前記底板部の前後方向中央部において幅方向に延在しているディスペンサーに取り付けられるアタッチメントは、可撓性のシートで形成された前板側本体部及び背板側本体部と、前記前板側本体部及び前記背板側本体部を前記底板部に沿って取り付ける接着部とを有し、前記前板側本体部は、背板側端縁から突出する中央部突出片及び側部突出片を有し、前記背板側本体部は、前板側端縁から突出する中央部突出片及び側部突出片を有し、前記前板側本体部及び前記背板側本体部が前記底板部に取り付けられた状態において、前記前板側本体部の中央部突出片の先端部及び前記背板側本体部の中央部突出片の先端部が下方から見て重なる関係にあり、かつ前記前板側本体部の側部突出片及び前記背板側本体部の側部突出片が幅方向に関して異なる位置に存在することで下方から見て重ならない関係にある。また、ディスペンサーは、上記アタッチメントが取り付けられている。
【発明の効果】
【００１１】
本発明によると、シートの束落ちを防止することができるディスペンサーのアタッチメント及びディスペンサーとなる。
【図面の簡単な説明】
【００１２】
【図１】アタッチメントの平面図である（ディスペンサーに取り付けていない状態）。
【図２】アタッチメントの平面図である（ディスペンサーに取り付けた状態）。
【図３】ディスペンサーの底板部の平面図である（アタッチメントを取り付けていない状態）。
【図４】ディスペンサーの正面図である（アタッチメントを取り付けていない状態）。
【図５】ディスペンサーの側面図である（アタッチメントを取り付けていない状態）。
【図６】ディスペンサーにペーパータオルの束を収めて使用する態様を説明するための断面図である（アタッチメントを取り付けていない状態）。
【図７】ディスペンサーにペーパータオルの束を収めて使用する態様を説明するための取出口部分の断面図である（アタッチメントを取り付けた状態）。
【発明を実施するための形態】
【００１３】
次に、発明を実施するための形態を説明する。
なお、本形態は、本発明を実施するための形態の一例である。本発明の範囲を本形態の範囲に限定する趣旨ではない。また、添付図面は、本形態の理解を助けるためのものである。添付図面の寸法等は、必ずしも正確であるとは限らない。例えば、重要な部分を相対的に大きく描く等していることもある。
【００１４】
（ディスペンサー）
本形態のディスペンサーは、アタッチメントが取り付けられているという点を除いて、前述した従来からのディスペンサー１０１と同様の形態である。すなわち、本形態のディスペンサー１０１は、前板部１１１及び背板部１１２並びに取出口１１０が形成された底板部１１３を主に有する。なお、本形態のディスペンサーは、従来からのディスペンサー１０１にアタッチメント２０が取り付けられているだけなので、従来からのディスペンサー１０１と同一の符号を使用して説明する。
【００１５】
本形態のディスペンサー１０１に収納可能なシートとしては、例えば、ペーパータオル、キッチンペーパー、ティシュペーパー等を例示することができる。ペーパータオルの場合は、必要により、特開２０１６−６７４７６号公報のアタッチメント等を組み合わせて取り付けることができる。同公報のアタッチメントを組み合わせて取り付けた場合は、大判、中判、小判等のいずれのサイズのペーパータオルをも収納することができるようになる。以下では、ディスペンサー１０１に収納されるシートがペーパータオル１０１ｓである場合を例に説明する。
【００１６】
本形態のディスペンサー１０１の取出口１１０は、図３に示すように、底板部１１３の前後方向中央部において幅方向に延在する。また、取出口１１０は、拡間隔部４１及び並間隔部４２を有する。
【００１７】
並間隔部４２は、底板部１１３の幅方向両側部に位置する。並間隔部４２は、前後方向の離間距離が一定であり、細長状である。並間隔部４２の幅方向の長さＸ２はそれぞれ、例えば１５〜４５ｍｍ、好ましくは１８〜４０ｍｍ、より好ましくは２０〜３５ｍｍである。なお、並間隔部４２の幅方向の長さＸ２は、アタッチメント２０が取り付けられる範囲内であることを前提とする。つまり、並間隔部４２の外側端縁は、アタッチメント２０の外側端縁２０ｂに一致する。なお、並間隔部４２自体は外側端縁（２０ｂ）よりも外方まで延在しているが、この部分には突起１４が備わっており、この部分からはペーパータオル１０１ｓが引き出されない構造になっている。
【００１８】
拡間隔部４１は、底板部１３の幅方向中央部に位置する。拡間隔部４１は、前後方向の離間距離が並間隔部４２の離間距離よりも広くなっている。拡間隔部４１の幅方向の長さＸ１は、例えば８０〜１３０ｍｍ、好ましくは９０〜１２５ｍｍ、より好ましくは１１０〜１２０ｍｍである。
【００１９】
前述したように、本形態のディスペンサー１０１には、本形態のアタッチメント２０の機能を阻害しない範囲で、他のアタッチメントを取り付けることができる。他のアタッチメントとしては、例えば、前述した特開２０１６−６７４７６号公報が開示するものを例示することができる。同公報の内容は、本発明の趣旨に反しない範囲で、本明細書に記載されたものとする。
【００２０】
（アタッチメント）
次に、本形態のアタッチメント２０について説明する。
図１に示すように、本形態のディスペンサー１０１のアタッチメント（ディスペンサー用アタッチメント）２０は、前板側本体部３０ｆ及び背板側本体部３０ｂと、前板側本体部３０ｆ及び背板側本体部３０ｂをディスペンサー１０１の底板部１１３に沿って取り付けるための図示されていない接着部とを有する。
【００２１】
前板側本体部３０ｆ及び背板側本体部３０ｂは、１枚の可撓性のシートが、適宜切り取られる等して形成されている。ただし、前板側本体部３０ｆ及び背板側本体部３０ｂは、２枚以上の複数枚の可撓性シートで形成されていてもよい。以下では、前板側本体部３０ｆ及び背板側本体部３０ｂを、単に「可撓性シート３０ｆ，３０ｂ」とも言う。
【００２２】
可撓性シート３０ｆ，３０ｂは、折り曲げることができても、折り曲げることができなくてもよい。ただし、可撓性シート３０ｆ，３０ｂは、意図せずに折り曲がることがないのが好ましい。また、可撓性シート３０ｆ，３０ｂは、一定の形状を保持することができる剛度を有するのが好ましい。
【００２３】
可撓性シート３０ｆ，３０ｂは、例えば、ポリプロピレン、ポリカーボネート、塩化ビニル等の樹脂製シート材、段ボール紙、坪量２５０〜５００ｇ／ｍ2のコートボール紙等から形成することができる。
【００２４】
ただし、可撓性シート３０ｆ，３０ｂは、図７中に拡大して示すように、発泡体層３０ｃ及びこの発泡体層３０ｃに積層されたフィルム層３０ａからなる積層シートから形成するのが好ましい。この形態においては、発泡体層３０ｂによって可撓性シート３０ｆ，３０ｂの適度な剛性が確保される。また、フィルム層３０ａによって可撓性シート３０ｆ，３０ｂとペーパータオル１０ｓとの摩擦抵抗が低減され、ペーパータオル１０１ｓを引き出し易くなる。
【００２５】
上記積層シートにおいて、発泡体層３０ｃの厚さは、例えば１〜１０ｍｍ、好ましくは２〜８ｍｍ、より好ましくは３〜６ｍｍである。また、フィルム層３０ａの厚さは、例えば５０〜５００μｍ、好ましくは７０〜３５０μｍ、より好ましくは８０〜３００μｍである。
【００２６】
本形態の前板側本体部３０ｆは、背板側端縁３５ｆの中央部から突出する１つの中央部突出片３１ｆ（以下、この前板側本体部３０ｆの中央部突出片３１ｆを単に「前中央突出片３１ｆ」とも言う。）を有する。また、本形態の背板側本体部３０ｂは、前板側端縁３５ｂの中央部から突出する１つの中央部突出片３１ｂ（以下、この背板側本体部３０ｂの中央部突出片３１ｂを単に「背中央突出片３１ｂ」とも言う。）を有する。
【００２７】
図２に示すように、前板側本体部３０ｆ及び背板側本体部３０ｂが底板部１１３に取り付けられた状態（以下、単に「取付状態」とも言う。）において、前中央部突出片３１ｆの先端部及び背中央部突出片３１ｂの先端部は、下方から見て重なる関係にある。図２には、両者３１ｆ，３１ｂが重なる部分を符号３１ｘで示している。また、前板側本体部３０ｆと背板側本体部３０ｂとの間の間隙を符号３０ｘで示している。本形態のように、前中央部突出片３１ｆの先端部及び背中央部突出片３１ｂの先端部が下方から見て重なる関係にあると、ペーパータオル１０ｓの束落ちが防止される。なお、下方から見て重なるは、当然上方から見ても重なる。
【００２８】
前中央部突出片３１ｆの先端部及び背中央部突出片３１ｂの先端部は、前中央部突出片３１ｆの先端部よりも背中央部突出片３１ｂの先端部が下側に位置するのが好ましい。また、前中央部突出片３１ｆ及び背中央部突出片３１ｂは、「背中央部突出片３１ｂの前後方向の長さＬ１」＞「前中央部突出片３１ｆの前後方向の長さＬ２」とされているのが好ましい。この形態によると、図７から明らかなとおり、ペーパータオル１０１ｓの束落ちを防止することができながら、各ペーパータオル１０１ｓを円滑に引き出すことについては何ら問題が生じない。
【００２９】
背中央部突出片３１ｂの前後方向の長さＬ１は、例えば５〜６０ｍｍ、好ましくは１０〜５０ｍｍ、より好ましくは２０〜４０ｍｍである。他方、前中央部突出片３１ｆの前後方向の長さＬ２は、例えば５〜４０ｍｍ、好ましくは７〜３０ｍｍ、より好ましくは１０〜２０ｍｍである。
【００３０】
前中央部突出片３１ｆ及び背中央部突出片３１ｂは、図示例のように、基端側から先端側にかけて狭まっているのが好ましい。前中央部突出片３１ｆ及び背中央部突出片３１ｂの先端側が狭まっていると、ペーパータオル１０１ｓの束落ちが防止され、かつペーパータオル１０１ｓを引き出す際に引っ掛かり等が生じない。
【００３１】
中央部突出片３１ｆ，３１ｂの先端部の幅Ｌ７は、例えば５０〜１００ｍｍ、好ましくは５５〜８５ｍｍ、より好ましくは６０〜８０ｍｍである。他方、中央部突出片３１ｆ，３１ｂの基端部の幅Ｌ６は、例えば６５〜１１０ｍｍ、好ましくは７５〜１００ｍｍ、より好ましくは８０〜９０ｍｍである。
【００３２】
本形態の前板側本体部３０ｆは、前中央部突出片３１ｆの幅方向一方（紙面右側）に１つの側部突出片３２ｆ（以下、この前板側本体部３０ｆの側部突出片３２ｆを単に「前側部突出片３２ｆ」とも言う。）を有する。同様に、本形態の前板側本体部３０ｆは、前中央部突出片３１ｆの幅方向他方（紙面左側）に１つの側部突出片３３ｆ（以下、この前板側本体部３０ｆの側部突出片３３ｆを単に「前側部突出片３３ｆ」とも言う。）を有する。なお、幅方向一方及び幅方向他方の前側部突出片３２ｆは、いずれも２つ以上の複数とすることもできる。
【００３３】
本形態の背板側本体部３０ｂは、背中央部突出片３１ｂの幅方向一方（紙面右側）に１つの側部突出片３２ｂ（以下、この背板側本体部３０ｂの側部突出片３２ｂを単に「背側部突出片３２ｂ」とも言う。）を有する。同様に、本形態の背板側本体部３０ｂは、背中央部突出片３１ｂの幅方向他方（紙面左側）に１つの側部突出片３３ｂ（以下、この背板側本体部３０ｂの側部突出片３３ｂを単に「背側部突出片３３ｂ」とも言う。）を有する。なお、幅方向一方及び幅方向他方の背側部突出片３２ｂは、いずれも２つ以上の複数とすることもできる。
【００３４】
図２に示すように、前板側本体部３０ｆ及び背板側本体部３０ｂが底板部１１３に取り付けられた状態（取付状態）において、前側部突出片３２ｆ及び背側部突出片３２ｂは、幅方向に関して異なる位置に存在する。したがって、前側部突出片３２ｆ及び背側部突出片３２ｂは、前中央部突出片３１ｆ及び背中央部突出片３１ｂと異なり、下方から見て重ならない関係にある。もちろん、上方から見ても重ならない関係にある。
【００３５】
前板側本体部３０ｆにおいては、幅方向一方の前側部突出片３２ｆ及び幅方向他方の前側部突出片３３ｆの前後方向の長さＬ４が同じになっている。前側部突出片３２ｆ，３３ｆの前後方向の長さＬ４は、例えば５〜５０ｍｍ、好ましくは７〜４０ｍｍ、より好ましくは１０〜３０ｍｍである。なお、幅方向一方の前側部突出片３２ｆ及び幅方向他方の前側部突出片３３ｆの前後方向の長さは、異なるものとすることもできる。
【００３６】
前板側本体部３０ｆにおいては、前中央部突出片３１ｆの前後方向の長さＬ２が前側部突出片３２ｆ，３３ｆの前後方向の長さＬ４よりも短いのが好ましい。なお、幅方向一方の前側部突出片３２ｆ及び幅方向他方の前側部突出片３３ｆの長さが異なる場合は、前中央部突出片３１ｆの前後方向の長さＬ２が、いずれかの前側部突出片の前後方向の長さよりも短いのが好ましくは、全ての前側部突出片の前後方向の長さよりも短いのがより好ましい。
【００３７】
前中央部突出片３１ｆの前後方向の長さＬ２と前側部突出片３２ｆ，３３ｆの前後方向の長さＬ４との差は、例えば０〜４０ｍｍ、好ましくは０〜３０ｍｍ、より好ましくは０〜２０ｍｍである。上記長さＬ２，Ｌ４の差は、下限を例えば５ｍｍ以上とすることもできる。
【００３８】
背板側本体部３０ｂにおいては、幅方向一方の背側部突出片３２ｂ及び幅方向他方の背側部突出片３３ｂの前後方向の長さＬ３が同一になっている。また、この長さＬ３は、前述した前側部突出片３２ｆ，３３ｆの長さＬ４と同一であり、好ましい範囲も同一である。なお、幅方向一方の背側部突出片３２ｂ及び幅方向他方の背側部突出片３３ｂの長さは、異なるものとすることもできる。また、背側部突出片３２ｂ，３３ｂの長さＬ３は、前側部突出片３２ｆ，３３ｆの長さＬ４と異なるものとすることもできる。
【００３９】
背板側本体部３０ｂにおいては、背中央部突出片３１ｂの前後方向の長さＬ１が側部突出片３２ｂ，３３ｂの前後方向の長さＬ３よりも長いのが好ましい。なお、幅方向一方の背側部突出片３２ｂ及び幅方向他方の背側部突出片３３ｂの長さが異なる場合は、背中央部突出片３１ｂの前後方向の長さＬ１が、全ての背側部突出片の長さよりも長いのが好ましい。
【００４０】
本形態においては、全ての側部突出片３２ｆ，３３ｆ，３２ｂ，３３ｂの幅Ｌ５が、同一である。この場合、全ての側部突出片３２ｆ，３３ｆ，３２ｂ，３３ｂの幅Ｌ５は、並間隔部４２の幅方向の長さＸ２の５０％以下とされているのが好ましく、２０〜４５％とされているのがより好ましい。側部突出片３２ｆ，３３ｆ，３２ｂ，３３ｂの幅Ｌ５が上記範囲を下回ると、当該側部突出片３２ｆ，３３ｆ，３２ｂ，３３ｂの存在意義がなくなるおそれがある。他方、側部突出片３２ｆ，３３ｆ，３２ｂ，３３ｂの幅Ｌ５が上記範囲を上回ると、ペーパータオル１０１ｓが引き出し難くなるおそれがある。
【００４１】
なお、各側部突出片３２ｆ，３３ｆ，３２ｂ，３３ｂの幅Ｌ５が異なる場合は、いずれかの側部突出片の幅が上記範囲内であるのが好ましく、全ての側部突出片の幅が上記範囲内であるのがより好ましい。
【００４２】
側部突出片３２ｆ，３３ｆ，３２ｂ，３３ｂの幅Ｌ５は、例えば５〜２５ｍｍ、好ましくは８〜２３ｍｍ、より好ましくは１０〜２０ｍｍである。
【００４３】
一方、本形態においては、前中央部突出片３１ｆの先端部及び背中央部突出片３１ｂの先端部の幅Ｌ７が同一である。また、前中央部突出片３１ｆの基端部及び背中央部突出片３１ｂの基端部の幅Ｌ６も同一である。
【００４４】
両中央部突出片３１ｆ，３１ｂの先端部の幅Ｌ７は、拡間隔部４１の幅方向の長さＸ１以下とされているのが好ましい。
【００４５】
アタッチメント２０を構成する接着部は、前板側本体部３０ｆ及び背板側本体部３０ｂを底板部１１３に対して、必要によりこれに加えてディスペンサー内壁面６０に対して接着固定する機能を有する。したがって、前板側本体部３０ｆ及び背板側本体部３０ｂの裏面（ディスペンサー１０１側）に適宜設けられる。
【００４６】
接着部は、例えば、アクリル系粘着剤等の公知の接着剤を前板側本体部３０ｆ及び背板側本体部３０ｂの背面に塗布することで形成することができる。また、接着部は、例えば、両面粘着シートによって形成することもできる。
【実施例】
【００４７】
次に、本発明の実施例を説明する。
前述した中央部突出片３１ｆ，３１ｂ及び側部突出片３２ｆ，３３ｆ，３２ｂ，３３ｂの位置及び長さ（ｍｍ）を適宜変化させてペーパータオル（ダブルペーパータオル（坪量１６ｇ／ｍ2の２枚重ね）、寸法２１０×２３０ｍｍ（２つ折り状態で２１０×１１５ｍｍ））の束落ちの有無や引出し易さを評価する試験を行った。条件及び結果を、表１〜表３に示した。
【００４８】
なお、表中の「他方側部・外方」、「他方側部・内方」、「中央部」、「一方側部・内方」、及び「一方側部・外方」とは、それぞれ取出口１１０の形状を示す図３の符号４３ａ、４３ｂ，４３ｃ，４３ｄ，及び４３ｅで示す範囲を意味する。また、表中の「符号」の欄は、図１で示した符号に対応している。
【００４９】
（評価方法）
評価は、４回試験した場合の平均値とした。
「最後まで紙を保持できたか」の評価については、次の区分によった。なお、試験例としては挙げていないが、アタッチメントを付けなかった場合は９〜１０枚がまとめて落ちた。
【００５０】
◎：まとめて落ちることがなかった又は最後の２枚がまとめて落ちた
○：最後の３〜５枚がまとめて落ちた
△：最後の６〜８枚がまとめて落ちた
×：最後の９枚以上がまとめて落ちた
「引出し易さ」の評価については、次の区分によった。
【００５１】
◎：とても引出し易いと感じた
【００５２】
○：引出し易いと感じた（◎よりは若干引出し抵抗を感じた）
【００５３】
△：やや引出し難いと感じた（若干の引出し抵抗を毎回感じた）
【００５４】
×：引出し難いと感じた（大きな抵抗を感じた）
【００５５】
【表１】
2018051073.tif 000003
【００５６】
【表２】
2018051073.tif 000004
【００５７】
【表３】
2018051073.tif 000005
【００５８】
（評価）
表１中に示した評価と共に、以下の評価も得られた。
【００５９】
（試験例１）
ペーパータオルが適度に支持され、束落ちし難かった。引出しもし易かった。
【００６０】
（試験例２）
ペーパータオルが適度に支持され、束落ちし難かった。引出しもし易かった。
【００６１】
（試験例３）
ペーパータオルが適度に支持され、束落ちし難かったが、ペーパータオルが両中央部突出片３１ｆ，３１ｂの間に挟まることがあった。
【００６２】
（試験例４）
ペーパータオルの束落ちが若干生じたが、引出しは容易であった。
【００６３】
（試験例５）
ペーパータオルの多くの束落ちが生じたが、引出しは容易であった。
【００６４】
（試験例６）
ペーパータオルの束落ちが若干生じ、ペーパータオルの引出しに毎回若干の抵抗を感じた。
【００６５】
（試験例７）
ペーパータオルが前中央部突出片３１ｆに引っ掛かってしまい、引出しが困難であった。
【００６６】
（試験例８）
ペーパータオルが前中央部突出片３１ｆに引っ掛かってしまい、引出しが困難であった。
【００６７】
（試験例９）
ペーパータオルの引出しは容易であったが、支持され難く、束落ちすることがあった。
【００６８】
（試験例１０）
ペーパータオルの引出しは容易であったが、支持され難く、束落ちすることがあった。
【００６９】
（試験例１１）
ペーパータオルの引出しは容易であったが、支持され難く、束落ちすることがあった。
【００７０】
（試験例１２）
ペーパータオルが前側部突出片３２ｆ，３３ｆと背側部突出片３２ｂ，３３ｂとの間に挟まってしまった。
【００７１】
（試験例１３）
ペーパータオルが他方の前側部突出片３３ｆと他方の背側部突出片３３ｂとの間に挟まってしまった。
【００７２】
（試験例１４）
ペーパータオルが一方の前側部突出片３２ｆと一方の背側部突出片３２ｂとの間に挟まってしまった。
【００７３】
（試験例１５）
側部突出片３２ｆ，３３ｆ，３２ｂ，３３ｂが抵抗となり、ペーパータオルを引き出し難くなった。
【００７４】
（試験例１６）
前側部突出片３２ｆ，３３ｆと背側部突出片３２ｂ，３３ｂとが重なり合うため、ペーパータオルの引出しが困難であった。なお、本試験例によるとペーパータオルの束落ちを防止することができる。しかるに、ペーパータオルの束落ち防止はペーパータオルを引き出せることを前提とする課題である。したがって、本試験例のようにペーパータオルの引出しが困難である態様は本発明の趣旨に反するものであり、本発明の態様には含まれない。
【００７５】
（試験例１７）
ペーパータオルの引出しは容易であったが、支持され難くなり、束落ちが生じた。
【産業上の利用可能性】
【００７６】
本発明は、ディスペンサーのアタッチメント及びディスペンサーとして、特に、ディスペンサーがペーパータオルやキッチンペーパー、ティシュペーパー等のシートのディスペンサーである場合に利用可能である。
【符号の説明】
【００７７】
２０…アタッチメント、３０ｆ…前板側本体部、３０ｂ…背板側本体部、３１ｆ…前中央部突出片、３１ｂ…背中央部突出片、３２ｆ，３３ｆ…前側部突出片、３２ｂ，３３ｂ…背側部突出片、６０…ディスペンサー内壁面、１０１…ディスペンサー、１０２…ペーパータオルの束、１１０…取出口、１１１…前板部、１１２…背板部、１１３…底板部。
【図１】
2018051073.tif 000006
【図２】
2018051073.tif 000007
【図３】
2018051073.tif 000008
【図４】
2018051073.tif 000009
【図５】
2018051073.tif 000010
【図６】
2018051073.tif 000011
【図７】
2018051073.tif 000012